(57)【要約】【課題】操作手段を操作してジョブを設定する利用者の利便性が向上する画像処理装置を提供する。【解決手段】画像を処理するジョブを設定するための操作手段と、操作手段により設定されたジョブを受け付ける受付手段と、受付手段により受け付けられたジョブを実行する実行手段と、操作手段により新たなジョブが設定されたときに実行手段が別のジョブを実行中の場合に、実行手段が新たなジョブを実行可能になるまでに処理する処理量を把握する把握手段と、を備え、受付手段は、操作手段により新たなジョブが設定されたときに実行手段が別のジョブを実行中の場合は、当該新たなジョブを受け付けるか否かを、把握手段により把握された処理量に基づいて決定する。【選択図】図５
2010178166.tif 000002
【特許請求の範囲】
【請求項１】
画像を処理するジョブを設定するための操作手段と、
前記操作手段により設定されたジョブを受け付ける受付手段と、
前記受付手段により受け付けられたジョブを実行する実行手段と、
前記操作手段により新たなジョブが設定されたときに前記実行手段が別のジョブを実行中の場合に、前記実行手段が新たなジョブを実行可能になるまでに処理する処理量を把握する把握手段と、
を備え、
前記受付手段は、前記操作手段により新たなジョブが設定されたときに前記実行手段が別のジョブを実行中の場合は、当該新たなジョブを受け付けるか否かを、前記把握手段により把握された処理量に基づいて決定する、画像処理装置。
【請求項２】
請求項１に記載の画像処理装置であって、
前記受付手段は、前記処理量が所定量未満である場合は前記新たなジョブを受け付けると決定し、前記所定量以上の場合は受け付けないと決定する、画像処理装置。
【請求項３】
請求項１又は請求項２に記載の画像処理装置であって、
前記把握手段は、前記処理量として、前記新たなジョブが設定されてから前記別のジョブが終了するまでに前記実行手段が処理する処理量を把握する、画像処理装置。
【請求項４】
請求項１乃至請求項３のいずれか一項に記載の画像処理装置であって、
画像の処理方法が互いに異なる複数の前記実行手段と、
前記別のジョブを実行中の第１の前記実行手段と前記新たなジョブを実行する第２の前記実行手段とが共通するか否かを判定する判定手段とを備え、
前記受付手段は、前記判定手段により共通しないと判定された場合は前記処理量によらず前記新たなジョブを受け付ける、画像処理装置。
【請求項５】
請求項４に記載の画像処理装置であって、
複数の前記実行手段は、画像の入力及び出力の少なくとも一方を行う複数の入出力手段と、これらを互いに異なる組み合わせで制御して画像の入力及び出力を行わせる複数の制御手段とからなり、
前記判定手段は、前記第１の実行手段と前記第２の実行手段とで前記入出力手段が共通するか否かを判定し、
前記把握手段は、前記判定手段により、前記第１の実行手段が画像の入力に用いる前記入出力手段が、前記第２の実行手段が画像の入力に用いる前記入出力手段又は画像の出力に用いる前記入出力手段のいずれかと共通し、前記第１の実行手段が画像の出力に用いる前記入出力手段が、前記第２の実行手段が画像の入力に用いる前記入出力手段及び画像の出力に用いる前記入出力手段のいずれとも共通しないと判定された場合は、前記処理量として、前記第１の実行手段が画像の入力を終了するまでに処理する処理量を把握する、画像処理装置。
【請求項６】
請求項５に記載の画像処理装置であって、
前記受付手段により前記新たなジョブが受け付けられた場合に、前記判定手段により前記第１の実行手段が画像の出力に用いる前記入出力手段と前記第２の実行手段が画像の入力に用いる前記入出力手段とが共通しないと判定された場合は、前記第２の実行手段は、画像の入力を、前記第１の実行手段による画像の出力と並行して実行する、画像処理装置。
【請求項７】
請求項２に記載の画像処理装置であって、
前記処理量が前記所定量以上の場合に、利用者が認証情報を入力するための認証情報入力手段と、
前記認証情報を認証する認証手段とを備え、
前記受付手段は、前記認証手段による認証に成功した場合は前記処理量によらず前記新たなジョブを受け付ける、画像処理装置。
【請求項８】
請求項７に記載の画像処理装置であって、
前記認証情報入力手段は、前記実行手段が前記新たなジョブを実行可能になると利用者に前記認証情報の入力を要求し、
前記実行手段は、前記新たなジョブを実行可能になった後、前記認証情報入力手段により認証情報が入力されると、前記新たなジョブを実行する、画像処理装置。
【発明の詳細な説明】
【技術分野】
【０００１】
本発明は、画像処理装置に関する。
【背景技術】
【０００２】
従来、端末装置などの外部機器からインタフェース部を介してプリントジョブを受け付ける画像形成装置が知られている（例えば、特許文献１参照）。この画像形成装置では、他のプリントジョブの処理中に新規のプリントジョブを受け付けることができる（例えば、特許文献１参照）。
また、押しボタンや表示装置などで構成される操作部やパーソナルコンピュータ（ＰＣ）などが接続されるインタフェース部などを備え、利用者が操作部やＰＣを操作して設定したプリントジョブを受け付け、受け付けた順に処理する画像形成装置も一般に知られている。
【先行技術文献】
【特許文献】
【０００３】
【特許文献１】特開２００１−２７７６６５公報
【発明の概要】
【発明が解決しようとする課題】
【０００４】
ところで、利用者が設定したプリントジョブを受け付けた順に処理する画像形成装置では、利用者は画像形成装置の操作部でプリントジョブを設定したとき、設定したジョブが直ぐに実行されるものと予想し、設定したジョブの処理が終了するまで画像形成装置の前で待つことがある。
【０００５】
この場合、処理中の他のプリントジョブが長時間を要するものである場合には、利用者は画像形成装置の前で長時間待たされることになる。
本発明は上記のような事情に基づいて完成されたものであって、操作手段を操作してジョブを設定する利用者の利便性が向上する画像処理装置を提供することを目的とする。
【課題を解決するための手段】
【０００６】
第１の発明は、画像処理装置であって、画像を処理するジョブを設定するための操作手段と、前記操作手段により設定されたジョブを受け付ける受付手段と、前記受付手段により受け付けられたジョブを実行する実行手段と、前記操作手段により新たなジョブが設定されたときに前記実行手段が別のジョブを実行中の場合に、前記実行手段が新たなジョブを実行可能になるまでに処理する処理量を把握する把握手段と、を備え、前記受付手段は、前記操作手段により新たなジョブが設定されたときに前記実行手段が別のジョブを実行中の場合は、当該新たなジョブを受け付けるか否かを、前記把握手段により把握された処理量に基づいて決定する。
この発明によると、例えば処理量が所定量より多い場合は新たなジョブを受け付けないと決定するようにすると、利用者はジョブが受け付けられなければ「実行手段が新たなジョブを実行可能になるまでに処理する処理量」が多いことを知ることができる。
あるいは逆に、処理量が所定量より多い場合は新たなジョブを受け付けると決定するようにしても、利用者はジョブが受け付けられれば処理量が多いことを知ることができる。
利用者は、処理量が多い場合は自身が設定した新たなジョブが直ぐには実行されないことが判るので、操作手段の前で長時間待たなくてよい。
よってこの発明によると、操作手段を操作してジョブを設定する利用者の利便性が向上する。
【０００７】
第２の発明は、第１の発明の画像処理装置であって、前記受付手段は、前記処理量が所定量未満である場合は前記新たなジョブを受け付けると決定し、前記所定量以上の場合は受け付けないと決定する。
この発明によると、利用者は新たなジョブが受け付けられなければ前記処理量が多いことを知ることができる。
【０００８】
第３の発明は、第１又は第２の発明の画像処理装置であって、前記把握手段は、前記処理量として、前記新たなジョブが設定されてから前記別のジョブが終了するまでに前記実行手段が処理する処理量を把握する。
別のジョブが終了するまで新たなジョブを実行できない場合には、上記処理量として、新たなジョブが設定されてから別のジョブが終了するまでに実行手段が処理する処理量を把握することにより、新たなジョブを受け付けるか否かを適切に判定できる。
【０００９】
第４の発明は、第１〜第３のいずれかの発明の画像処理装置であって、画像の処理方法が互いに異なる複数の前記実行手段と、前記別のジョブを実行中の第１の前記実行手段と前記新たなジョブを実行する第２の前記実行手段とが共通するか否かを判定する判定手段とを備え、前記受付手段は、前記判定手段により共通しないと判定された場合は前記処理量によらず前記新たなジョブを受け付ける。
別のジョブと新たなジョブとで実行手段が共通しない場合は前記処理量によらず新たなジョブを受け付けるようにすると、別のジョブと新たなジョブとを並行して実行することが可能になり、効率よくジョブを実行できる。
【００１０】
第５の発明は、第４の発明の画像処理装置であって、複数の前記実行手段は、画像の入力及び出力の少なくとも一方を行う複数の入出力手段と、これらを互いに異なる組み合わせで制御して画像の入力及び出力を行わせる複数の制御手段とからなり、前記把握手段は、前記判定手段により、前記第１の実行手段が画像の入力に用いる前記入出力手段が、前記第２の実行手段が画像の入力に用いる前記入出力手段又は画像の出力に用いる前記入出力手段のいずれかと共通し、前記第１の実行手段が画像の出力に用いる前記入出力手段が、前記第２の実行手段が画像の入力に用いる前記入出力手段及び画像の出力に用いる前記入出力手段のいずれとも共通しないと判定された場合は、前記処理量として、前記第１の実行手段が画像の入力を終了するまでに処理する処理量を把握する。
この発明によると、第１の実行手段が画像の出力を終了するまでに処理する処理量を把握する場合に比べ、新たなジョブの実行をより早いタイミングで開始できる。
【００１１】
第６の発明は、第５の発明の画像処理装置であって、前記受付手段により前記新たなジョブが受け付けられた場合に、前記判定手段により前記第１の実行手段が画像の出力に用いる前記入出力手段と前記第２の実行手段が画像の入力に用いる前記入出力手段とが共通しないと判定された場合は、前記第２の実行手段は、画像の入力を、前記第１の実行手段による画像の出力と並行して実行する、画像処理装置。
この発明によると、効率よくジョブを実行できる。
【００１２】
第７の発明は、第２の発明の画像処理装置であって、前記処理量が前記所定量以上の場合に、利用者が認証情報を入力するための認証情報入力手段と、前記認証情報を認証する認証手段とを備え、前記受付手段は、前記認証手段による認証に成功した場合は前記処理量によらず前記新たなジョブを受け付ける。
このように、認証情報が与えられている利用者については処理量によらず新たなジョブを受け付けてもよい。
【００１３】
第８の発明は、第７の発明の画像処理装置であって、前記認証情報入力手段は、前記実行手段が前記新たなジョブを実行可能になると利用者に前記認証情報の入力を要求し、前記実行手段は、前記新たなジョブを実行可能になった後、前記認証情報入力手段により認証情報が入力されると、前記新たなジョブを実行する。
認証情報が与えられている利用者が新たなジョブを設定した後に画像処理装置を離れると、離れている間に当該新たなジョブが実行され、処理結果を他の利用者に閲覧されてしまう虞がある。
この発明によると、新たなジョブを実行可能になった後、認証情報が入力されると当該新たなジョブを実行するので、認証情報を入力した利用者は実行手段が新たなジョブを実行可能になる頃を見計らって画像処理装置に戻り、認証情報を入力することにより、処理結果が他の利用者に閲覧される可能性を低減できる。
【発明の効果】
【００１４】
本発明によれば、操作手段を操作してジョブを設定する利用者の利便性が向上する。
【図面の簡単な説明】
【００１５】
【図１】本発明の一実施形態に係る画像処理装置の模式図。
【図２】実行手段が共通する組み合わせを示す表。
【図３】画像処理装置の処理を説明するためのタイミングチャート。
【図４】画像処理装置の処理を説明するためのタイミングチャート。
【図５】画像処理装置の処理を説明するためのタイミングチャート。
【図６】操作手段の模式図。
【図７】画像処理装置の処理を説明するためのタイミングチャート。
【図８】画像処理装置の処理の流れを示すフローチャート。
【図９】画像処理装置の処理の流れを示すフローチャート。
【発明を実施するための形態】
【００１６】
＜一実施形態＞
本発明の一実施形態を図１ないし図９によって説明する。
（１）画像処理装置の構成
図１は、スキャナ機能、プリンタ機能、コピー機能、ファクシミリ機能などを備える複合機１（画像処理装置の一例）の模式図である。
複合機１の筐体１１（図１では一部のみを図示）は概ね箱形に形成されており、上部に第１プラテンガラス１２と第２プラテンガラス１３とが並設されている。
【００１７】
原稿カバー１５は第１プラテンガラス１２を覆う閉姿勢と第１プラテンガラス１２を開放する開姿勢とに回動可能に筐体１１に連結されている。原稿カバー１５は、ＡＤＦ１６（Auto Document Feeder）、画像が形成されている原稿が積載される原稿トレイ１７、排紙トレイ１８などを備えている。
ＡＤＦ１６は、搬送路１９、一対の搬送ローラ２０、一対の排紙ローラ２１などの各種のローラ、これらを駆動する図示しないステッピングモータなどを有しており、原稿トレイ１７に載置されている原稿を一枚ずつ搬送して第２プラテンガラス１３上を通過させる。
【００１８】
読取部２５（実行手段の一例）はＣＩＳ（Contact Image Sensor）方式で原稿を読み取るように構成されており、複数の受光素子が紙面垂直方向に直線状に配列されているリニアイメージセンサ２８、ＲＧＢ３色の発光ダイオードなどで構成される光源２９、原稿で反射された反射光をリニアイメージセンサ２８の各受光素子に結像させるロッドレンズアレイ３０、これらが搭載されるキャリッジ３１、及びキャリッジ３１を搬送する図示しない搬送機構などを備えている。なお、読取部２５は縮小光学系を用いて原稿を読み取るものであってもよい。
【００１９】
読取部２５は、第１プラテンガラス１２に載置されている原稿を読み取るときはキャリッジ３１を第１プラテンガラス１２の盤面に平行な副走査方向（図中のＡ方向）に一定速度で搬送しながら読み取り、ＡＤＦ１６によって搬送される原稿を読み取るときはキャリッジ３１を第２プラテンガラス１３の直下に停止させて読み取る。
【００２０】
イメージセンサ制御部３５（制御手段の一例）はＡＳＩＣとして構成されており、フレキシブルフラットケーブル３４を介して読取部２５に接続されている。イメージセンサ制御部３５は読取部２５を制御するとともに、読取部２５から出力される画像データにゲイン調整、Ａ／Ｄ変換などの処理を行う。
画像処理部３６はＡＳＩＣとして構成されており、イメージセンサ制御部３５から出力された画像データにガンマ補正、シェーディング補正、ノイズ除去、カラーバランス調整、拡大／縮小、色空間変換などの各種の処理を施す。
【００２１】
ＣＰＵ３７（受付手段、実行手段、把握手段、判定手段、制御手段、認証情報入力手段、認証手段の一例）は、ＲＯＭ３８に記憶されている各種のプログラムを実行することにより複合機１の各部を制御する。
ＲＯＭ３８は、ＣＰＵ３７が実行する各種のプログラムなどを記憶している。
ＲＡＭ３９は、ＣＰＵ３７が各種の処理を実行するための主記憶装置として用いられる。
【００２２】
ファクシミリ送受信部４０（実行手段の一例）は、電話回線を介して電話交換機に接続され、所定のファクシミリ通信手順に従って画像データを送受信する。
印刷部４１（実行手段の一例）は、画像データに基づいて紙などの被記録媒体にレーザー方式、インクジェット方式などで画像を形成する。
操作部４２（操作手段、認証情報入力手段の一例）は、複数のボタン４２Ａ（図６参照）やＬＣＤ（Liquid Crystal Display）４２Ｂ（図６参照）などで構成されており、利用者は例えばＬＣＤ４２Ｂに表示される画面を参照しつつボタン４２Ａを操作することにより「画像を処理するジョブ」の設定などの各種の操作を行うことができる。
【００２３】
インタフェース部４３（実行手段の一例）は、複数のＵＳＢインタフェース４３Ａ、ＬＡＮなどの電気通信回線に接続されるネットワークインタフェース４３Ｂなどで構成されている。各ＵＳＢインタフェース４３Ａには、ＵＳＢメモリやＵＳＢハードディスクなどの着脱可能な外部記憶装置が接続される他、ＵＳＢケーブルを介してパーソナルコンピュータ（ＰＣ）などが接続される。
【００２４】
なお、インタフェース部４３はＵＳＢ（Universal Serial Bus）以外の方法で外部記憶装置が接続されるように構成されてもよい。また、ＰＣをインタフェース部４３に接続する方法はＵＳＢに限られるものではなく、接続方法は適宜選択可能である。
【００２５】
読取部２５は、画像の入力を行う入出力手段の一例である。
ＵＳＢメモリが接続されているＵＳＢインタフェース４３Ａ、ＵＳＢケーブルが接続されているＵＳＢインタフェース４３Ａ、及びネットワークインタフェース４３Ｂは、画像の入力及び出力を行う入出力手段の一例である。
印刷部４１、及びファクシミリ送受信部４０は、画像の出力を行う入出力手段の一例である。なお、ファクシミリ送受信部４０はファクシミリ受信することにより画像を入力することもできるが、本実施形態ではファクシミリ送信にのみ用いるので画像を出力する入出力手段としている。
【００２６】
（２）画像を処理するジョブ
本実施形態において「画像を処理するジョブ」とは、画像を入力する入出力手段により画像を入力し、画像を出力する入出力手段によりその画像を出力する処理に関する一連の動作を定義した情報をいう。
本実施形態では、「画像を処理するジョブ」として、コピージョブ、ＰＣ印刷ジョブ、ＦＡＸ送信ジョブ、ＰＣスキャンジョブ、ネットワークスキャンジョブ、ダイレクト印刷ジョブ、及びスキャンｔｏＵＳＢジョブを例に説明する。
【００２７】
コピージョブは、読取部２５で原稿を読み取って画像データを生成し、生成した画像データを印刷部４１により被記録媒体に印刷するジョブである。
ＰＣ印刷ジョブは、ＵＳＢケーブルを介してＵＳＢインタフェース４３Ａに接続されているＰＣから送信される画像データを、印刷部４１により被記録媒体に印刷するジョブである。ＰＣ印刷ジョブは他のジョブと異なり複合機１の操作部４２ではなくＰＣ側で設定される。
【００２８】
ＦＡＸ送信ジョブは、読取部２５で原稿を読み取って画像データを生成し、生成した画像データをファクシミリ送受信部４０によりファクシミリ送信するジョブである。
ＰＣスキャンジョブは、読取部２５により原稿を読み取って画像データを生成し、生成した画像データを、ＵＳＢケーブルを介してＵＳＢインタフェース４３Ａに接続されているＰＣに送信するジョブである。
【００２９】
ネットワークスキャンジョブは、読取部２５により原稿を読み取って画像データを生成し、生成した画像データを、電気通信回線を介してネットワークインタフェース４３Ｂに接続されている外部のサーバなどに送信するジョブである。
【００３０】
ダイレクト印刷ジョブは、ＵＳＢインタフェース４３Ａに接続されている外部記憶装置から画像データを読み込み、読み込んだ画像データを印刷部４１により被記録媒体に印刷するジョブである。以降の説明では外部記憶装置としてＵＳＢメモリを例に説明する。
スキャンｔｏＵＳＢジョブは、読取部２５により原稿を読み取って画像データを生成し、生成した画像データを、ＵＳＢインタフェース４３Ａに接続されているＵＳＢメモリに記憶するジョブである。
【００３１】
（３）実行手段
各種類のジョブはそれぞれ互いに異なる実行手段によって実行される。
一つの実行手段は、画像の入力に用いる入出力手段（以下、単に「入力手段」という）と、画像の出力に用いる入出力手段（以下、単に「出力手段」という）と、それらを制御して画像の入力及び出力を行わせるＣＰＵ３７（制御手段の一例）とで構成される。ＣＰＵ３７は入出力手段を互いに異なる組み合わせで制御することにより、複数の制御手段として機能する。これにより複数の実行手段が構成される。
【００３２】
（４）ジョブの衝突
利用者は、いずれかの実行手段がジョブ（以下「別のジョブ」という）を実行中のときでも、当該別のジョブを実行中の実行手段を含むいずれかの実行手段によって実行される新たなジョブを設定することができる。
この場合、別のジョブと新たなジョブとで実行手段が共通する可能性がある。本実施形態において実行手段が共通するとは、以下のような場合をいう。
【００３３】
１）別のジョブを実行する実行手段と新たなジョブを実行する実行手段とで入力手段及び出力手段が共通する場合。
２）別のジョブを実行する実行手段と新たなジョブを実行する実行手段とで入力手段は共通せず、出力手段が共通する場合。
３）別のジョブを実行する実行手段の出力手段と、新たなジョブを実行する実行手段の入力手段とが共通する場合。
４）別のジョブを実行する実行手段の入力手段と、新たなジョブを実行する実行手段の出力手段とが共通する場合。
【００３４】
実行手段が共通すると、共通する実行手段が別のジョブを実行中であることにより、新たなジョブを設定したタイミングによっては新たなジョブの実行が開始されるまでに実行待ちが発生する場合がある、あるいは新たなジョブの実行途中で実行待ちが発生する場合がある。本実施形態では別のジョブを実行中であることにより新たなジョブの実行待ちが発生することをジョブの衝突という。
【００３５】
図２は、実行手段が共通する組み合わせを示す表である。図中において編み掛けされている組み合わせは、本実施形態では実行手段が共通しないとしている組み合わせである。図中の丸印は共通することを示し、バツ印は共通しないことを示している。
【００３６】
例えば、入力手段及び出力手段が共に共通しない場合は、実行手段は共通しない。
この他、本実施形態では入力手段が共通して出力手段が共通しない場合であって、その共通する入力手段が読取部２５である場合は、実行手段は共通しないとしている。以下、その理由について説明する。
【００３７】
例えば、別のジョブがＡＤＦ１６の原稿トレイ１７に載置されている原稿を読み取るジョブである場合、一般にＡＤＦ１６が動作中のときに第１プラテンガラス１２に原稿を載置して読み取る新たなジョブが設定されることはない。従ってこの場合は別のジョブと新たなジョブとで読取部２５が競合することはない。
【００３８】
また、別のジョブが第１プラテンガラス１２に載置されている原稿を読み取るジョブである場合は、ＡＤＦ１６の原稿トレイ１７に原稿を載置して読み取る新たなジョブを設定できるが、第１プラテンガラス１２に載置されている１枚の原稿の読み取りは比較的短時間に終了するので、競合したとしても僅かな時間である。
以上の理由により、共通する入力手段が読取部２５である場合は、実行手段は共通しないとしている。
【００３９】
この他、ＰＣ印刷ジョブはＰＣ側で設定されるので、ＰＣ印刷ジョブが新たなジョブである場合には利用者は複合機１の前で待つことはない。そのため本実施形態ではＰＣ印刷ジョブについては別のジョブとして設定される場合のみを説明し、ＰＣ印刷ジョブが新たなジョブとして設定される場合を除外している。
【００４０】
図中の「ＵＳＢ  Ｃａ」はＵＳＢケーブルが接続されているＵＳＢインタフェース４３Ａを示しており、「ＵＳＢメモリ」はＵＳＢメモリが接続されているＵＳＢインタフェース４３Ａを示している。また、「ネットワーク」はネットワークインタフェース４３Ｂを示している。「ファクシミリ」はファクシミリ送受信部４０を示している。
【００４１】
図中の注１）は、ＰＣ印刷ジョブの入力手段（ＵＳＢ  Ｃａ）とＰＣスキャンジョブの出力手段（ＵＳＢ  Ｃａ）とが共通であることを示している。
図中の注２）は、ダイレクト印刷ジョブの入力手段（ＵＳＢメモリ）とスキャンｔｏＵＳＢジョブの出力手段（ＵＳＢメモリ）とが共通であることを示している。
【００４２】
以下、上述した１）〜４）の場合について、具体的に説明する。
（４−１）別のジョブを実行する実行手段と新たなジョブを実行する実行手段とで入力手段及び出力手段が共通する場合。
別のジョブと新たなジョブとが同種のジョブである場合は、別のジョブを実行する実行手段と新たなジョブを実行する実行手段とで入力手段が共通し、且つ出力手段も共通する。ここでは同種のジョブとしてコピージョブを例に説明する。
【００４３】
例えば、別のコピージョブ（以下「別のコピージョブ１」という）が第１プラテンガラス１２に載置されている原稿をコピーするコピージョブであるとする。この場合、別のコピージョブ１の実行中に、ＡＤＦ１６の原稿トレイ１７に別の原稿を載置可能である。このため、他の利用者は別のコピージョブ１の実行中にＡＤＦ１６の原稿トレイ１７に原稿を載置して新たなコピージョブ（以下「新たなコピージョブ２」という）を設定することができる。
【００４４】
例えば別のコピージョブ１は第１プラテンガラス１２に載置されている１枚の原稿を１００枚コピーするコピージョブであり、今現在、原稿の読み取りを終了し、印刷部４１により印刷中であるとする。そして、１００枚中３０枚を印刷したときに、他の利用者が新たなコピージョブ２を設定したとする。
この場合、別のコピージョブ１による読み取りは終了しているので、新たなコピージョブ２による読み取りは直ぐに開始できるが、新たなコピージョブ２による印刷は、別のコピージョブ１を実行する印刷部４１による残り７０枚分の印刷が終了するまで実行が開始されず、新たなコピージョブ２を設定した利用者は複合機の前で待たされることになる。
【００４５】
（４−２）別のジョブを実行する実行手段と新たなジョブを実行する実行手段とで入力手段は共通せず、出力手段が共通する場合。
別のジョブの種類と新たなジョブの種類とが異なる場合は、別のジョブを実行する実行手段と新たなジョブを実行する実行手段とで入力手段は共通せず、出力手段が共通する場合がある。例えば別のジョブがＰＣ印刷ジョブであり、新たなジョブがコピージョブである場合は、入力手段は共通せず、出力手段が共通する。
【００４６】
例えば、別のＰＣ印刷ジョブは１つの画像データを１００枚分印刷するジョブであるとする。そして、１００枚中３０枚を印刷したときに、他の利用者が新たなコピージョブを設定したとする。
この場合、新たなコピージョブによる印刷は、別のＰＣ印刷ジョブを実行する印刷部４１による残り７０枚分の印刷が終了するまで実行が開始されず、新たなコピージョブを設定した利用者は複合機の前で待たされることになる。
【００４７】
（４−３）別のジョブを実行する実行手段の出力手段が、新たなジョブを実行する実行手段の入力手段と共通する場合。
別のジョブの種類と新たなジョブの種類とが異なる場合は、別のジョブを実行する実行手段の出力手段が、新たなジョブを実行する実行手段の入力手段と共通する場合がある。例えば別のジョブがスキャンｔｏＵＳＢジョブであり、新たなジョブがダイレクト印刷ジョブである場合は、別のジョブの出力手段（ＵＳＢメモリ）と新たなジョブの入力手段（ＵＳＢメモリ）とが共通することになる。
【００４８】
例えば、別のスキャンｔｏＵＳＢジョブは１００枚の原稿を読み取って原稿毎の画像データを第１のＵＳＢメモリに書き込むジョブであるとする。そして、１００枚中３０枚分の原稿を読み取って画像データを書き込んだときに、他の利用者が別のＵＳＢポートに第２のＵＳＢメモリを接続して新たなダイレクト印刷ジョブを設定したとする。
【００４９】
この場合、同時に一方のＵＳＢメモリへのアクセスしかできないとすると、新たなダイレクト印刷ジョブによる第２のＵＳＢメモリからの読み込みは、別のスキャンｔｏＵＳＢジョブを実行する読取部２５による残り７０枚分の原稿の読み取りとＵＳＢインタフェース４３Ａによる第１のＵＳＢメモリへの残り７０枚分の画像データの書き込みとが終了するまで実行が開始されない。このため、新たなダイレクト印刷ジョブを設定した利用者は複合機の前で待たされることになる。
【００５０】
（４−４）別のジョブを実行する実行手段の入力手段が、新たなジョブを実行する実行手段の出力手段と共通する場合。
上述した例とは逆に、別のジョブがダイレクト印刷ジョブであり、新たなジョブがスキャンｔｏＵＳＢジョブである場合は、別のジョブの入力手段（ＵＳＢメモリ）と新たなジョブの出力手段（ＵＳＢメモリ）とが共通することになる。
【００５１】
例えば、別のダイレクト印刷ジョブは１００枚分の画像データを第２のＵＳＢメモリから１画像データずつ読み込んで印刷するジョブであるとする。そして、１００枚中３０枚分の画像データを読み込んで印刷したときに、他の利用者が別のＵＳＢポートに第１のＵＳＢメモリを接続して新たなスキャンｔｏＵＳＢジョブを設定したとする。
【００５２】
この場合、新たなスキャンｔｏＵＳＢジョブによる第１のＵＳＢメモリへの書き込みは、別のダイレクト印刷ジョブを実行するＵＳＢインタフェース４３Ａによる第２のＵＳＢメモリからの残り７０枚分の画像データの読み込みと印刷部４１による残り６９枚分の画像データの印刷とが終了するまで実行が開始されない。このため、新たなスキャンｔｏＵＳＢジョブを設定した利用者は複合機の前で待たされることになる。
【００５３】
ここで印刷部４１の印刷枚数が６９枚であるのは、最後の一枚分の画像データを印刷しているときＵＳＢインタフェース４３Ａは別のダイレクト印刷ジョブによる第２のＵＳＢメモリからの画像データの読み込みを終了しているからである。第２のＵＳＢメモリからの画像データの読み込みが終了していれば、新たなスキャンｔｏＵＳＢジョブによる第１のＵＳＢメモリへの画像データの書き込みを開始できるので、最後の一枚分の画像データについては印刷が終了するのを待たなくてよい。
【００５４】
（５）複合機１の処理概要
上述したように、ジョブが衝突すると新たなジョブの実行待ちにより利用者は複合機の前で待たされることになる。
そこで、本実施形態では、新たなジョブが設定されたときに実行手段が別のジョブを実行中の場合は、新たなジョブを受け付けるか否かを、実行手段が新たなジョブを実行可能になるまでに処理する処理量に基づいて決定する。
【００５５】
ここで「実行手段が新たなジョブを実行可能になるまで」とは、新たなジョブを別のジョブと衝突することなく実行できるようになるまでのことをいい、上述した１）〜３）の場合には別のジョブの出力手段が当該別のジョブの実行を終了するまで、言い換えると別のジョブの実行が終了するまでである。
上述した４）の場合には、別のジョブの入力手段が当該別のジョブの実行を終了するまでである。この場合は別のジョブの実行が終了する前に新たなジョブを実行可能になる。
【００５６】
「実行手段が新たなジョブを実行可能になるまでに処理する処理量」は、上述した１）〜３）の場合には、新たなジョブが設定されたときに別のジョブの入力手段が当該別のジョブの実行を終了しているか否かによって異なる。
別のジョブの入力手段が当該別のジョブの実行を終了していない場合は、その入力手段が当該別のジョブについて処理する残りの処理量と、別のジョブの出力手段が当該別のジョブについて処理する残りの処理量（別のジョブの出力手段が当該別のジョブの実行を開始していない場合は、その出力手段がこれから当該別のジョブについて処理する全処理量）との合計である。
一方、別のジョブの入力手段が当該別のジョブの実行を終了している場合は、別のジョブの出力手段が当該別のジョブについて処理する残りの処理量である。
【００５７】
上述した４）の場合には、別のジョブの入力手段が当該別のジョブについて処理する残りの処理量である。ただし、入力手段と出力手段とが並行して当該別のジョブを実行する場合は、入力手段が当該別のジョブの実行を終了するまでに出力手段が処理する処理量との合計である。
【００５８】
以下、上述した１）の場合を例に、複合機１の処理をより具体的に説明する。以下の説明では同種のジョブとしてコピージョブを例に説明する。
図３は、複合機１の処理を説明するためのタイミングチャートである。図示する例では別のコピージョブ１は第１プラテンガラス１２に載置されている１枚の原稿を１００枚分コピーするコピージョブであり、今現在、読取部２５による読み取り中であり、原稿を長辺方向に１／３まで読み取り済みであるとする。そして、新たなコピージョブ２はＡＤＦ１６に載置されている原稿をコピーするコピージョブであるとする。
【００５９】
複合機１は、新たなコピージョブ２が設定されると、「実行手段が新たなジョブを実行可能になるまでに処理する処理量」を把握する。すなわち、複合機１は、読取部２５が別のコピージョブ１について処理する残りの処理量と、印刷部４１がこれから別のコピージョブ１について処理する全処理量との合計を把握する。
本実施形態では、読取部２５の処理量を、原稿の副走査方向の幅によって把握するものとする。従って、読取部２５が処理する残りの処理量は、読み取り中の原稿の未だ読み取られていない領域の副走査方向の幅、すなわち原稿の長辺方向に２／３の幅として把握される。なお、読取部２５の処理量は原稿の面積によって把握されてもよい。
【００６０】
また、本実施形態では、印刷部４１の処理量を、印刷するデータ量によって把握するものとする。図示する例では印刷部４１は別のコピージョブ１の実行を開始していないので、印刷部４１が処理する残りの処理量は、読取部２５が原稿を読み取って生成する画像データのデータ量×１００として把握される
【００６１】
前述したように、本実施形態では新たなコピージョブ２を受け付けるか否かを、把握した処理量に基づいて決定するが、把握した処理量から直接決定するのではなく、別のコピージョブ１による印刷が終了するまでの残り時間を処理量から推定し、推定した残り時間（以下「推定時間」という）に基づいて決定する。
例えば、読取部２５が原稿の残り２／３を読み取るのに要する時間を読取条件などから推定するとともに、原稿を読み取って生成された画像データを印刷部４１が１枚印刷するのに要する標準的な時間を１００倍することによって印刷に要する時間を推定し、それらの時間の合計を推定時間とする。
【００６２】
ところで、原稿の読み取りと印刷とを並行して実行できる場合は、原稿の読み取りが終了するのを待たずに印刷を開始できる。原稿の読み取りが終了するのを待たずに印刷を開始できる場合は、印刷を開始してから原稿の読み取りが終了するまでの時間分だけ推定時間を短縮することができる。つまり、本実施形態では、入力手段と出力手段とが一つのジョブを並行して実行している場合は、その並行して実行している間に入力手段が処理する処理量を除外した処理量に基づいて、新たなコピージョブ２を受け付けるか否かを決定する。
【００６３】
複合機１は、推定時間が所定時間（所定量の一例）未満のときは新たなコピージョブ２を受け付けると決定し、所定時間以上のときは受け付けないと決定する。この所定時間を１分とすると、図示する例では推定時間が３０秒であり、１分未満であるので、新たなコピージョブ２を受け付けると決定する。なお、所定時間を１分とするかは適宜選択可能な設計事項である。
【００６４】
ところで、推定時間は３０秒であるが、読取部２５がコピージョブ１による読み取りを終了するのはそれよりも前の時点である。複合機１は読取部２５による原稿の読み取りと印刷部４１による印刷とを並行して実行可能であり、複合機１はコピージョブ１による読み取りが終了すると、コピージョブ１による印刷が終了するのを待つことなくコピージョブ２による読み取りを開始する。
【００６５】
図４は、複合機１の処理を説明するための別のタイミングチャートである。図示する例では別のコピージョブ１はＡＤＦ１６の原稿トレイ１７に載置されている１枚の原稿を１００枚分コピーするコピージョブであり、今現在、読取部２５による読み取りを終了しており、印刷部４１により１００枚中３０枚まで印刷が終了しているとする。
【００６６】
新たなコピージョブ２は第１プラテンガラスに載置されている原稿を読み取るコピージョブであるとする。
「実行手段が新たなジョブを実行可能になるまでに処理する処理量」は、別のコピージョブ１の出力手段（印刷部４１）が処理する残りの処理量として把握される。すなわち、画像データのデータ量×７０として把握される。
図示する例では推定時間は３０秒であり、１分未満であるので、新たなコピージョブ２を受け付けると決定する。新たなコピージョブ２を受け付けたとき、コピージョブ１による読み取りは既に終了しているので、複合機１は直ちにコピージョブ２による読み取りを開始する。
【００６７】
図５は、複合機１の処理を説明するための別のタイミングチャートである。図示する例では新たなコピージョブ２が設定されたときに複合機１が別のコピージョブ１による印刷を実行中であり、推定時間が１分３０秒である。推定時間が１分以上であるので、複合機１はコピージョブ２を受け付けないと決定する。
コピージョブ２を受け付けない場合は、複合機１はコピージョブを受け付けない旨を利用者に報知する。本実施形態では操作部４２のＬＣＤ４２Ｂにその旨のメッセージを表示することによって報知する。
【００６８】
図６は、操作部４２を示す模式図である。図示するように複合機１はＬＣＤ４２Ｂに「前の印刷に時間がかかります。ジョブを受け付けません。」というメッセージを表示する。これにより、利用者はコピーが受け付けられなかったことを知ることができる。なお、利用者へのコピージョブを受け付けない旨の報知は音声案内などの他の方法で行ってもよい。
【００６９】
図７は、複合機１の処理を説明するための別のタイミングチャートである。図示する例では新たなコピージョブ２が設定されたときに複合機１が別のコピージョブ１による読み取りを実行中である。図示する例では推定時間が１分３０秒である。
ところで、仮に新たなコピージョブ２を無条件に受け付けるようにしたとすると、別のコピージョブ１が長時間を要するものである場合には、新たなコピージョブ２を設定した利用者は複合機の前で長時間待たされることになり、待ち切れずに途中で複合機１から離れてしまう可能性がある。利用者が複合機１を離れると、離れている間に新たなコピージョブ２が実行され、印刷結果を他の利用者に閲覧されてしまう虞がある。推定時間が長い場合（１分以上の場合）は新たなコピージョブ２を受け付けないようにすると、そのようなことが起き難くなるので、セキュリティの面からも望ましい。
【００７０】
ただし、推定時間が長い場合でも、印刷結果を他の利用者に閲覧されてしまう虞がないのであれば、利用者によっては新たなコピージョブ２が受け付けられた方が利便性がよいと考える場合もある。例えば、新たなコピージョブ２が受け付けられず、それにより利用者が複合機１から一端離れている間に、他の利用者に先に新たなコピージョブ２を設定されてしまうこともあるからである。
【００７１】
そこで、複合機１は、推定時間が１分を超えていても、新たなコピージョブ２を設定した利用者がセキュリティ機能を利用可能な場合には、例外的に新たなコピージョブ２を受け付ける。
具体的には、複合機１は、前述したコピージョブを受け付けない旨のメッセージを表示する前に、ＬＣＤ４２ＢにユーザＩＤ及びパスワードを入力するように促すメッセージを表示する。ユーザＩＤ及びパスワードは認証情報の一例である。
【００７２】
利用者がユーザＩＤ及びパスワードを入力した場合は、複合機１は入力されたユーザＩＤ及びパスワードに対してセキュリティ機能の利用が許可されているか否かを判定する。複合機１は、セキュリティ機能の利用が許可されていれば、新たなコピージョブ２を受け付ける。このとき、複合機１は入力されたユーザＩＤ及びパスワードを新たなコピージョブ２に対応付けて記憶する。
【００７３】
一方、利用者がユーザＩＤ及びパスワードを入力しない場合、又は入力されたユーザＩＤ及びパスワードに対してセキュリティ機能の利用が許可されていない場合は、新たなコピージョブ２を受け付けず、コピージョブを受け付けない旨のメッセージを表示する。
複合機１は、セキュリティ機能の利用が許可されていることにより新たなコピージョブ２を受け付けた場合は、別のコピージョブ１による印刷が終了した時点で直ちに新たなコピージョブ２による印刷を開始するのではなく、新たなコピージョブ２に対応するユーザＩＤ及びパスワードが入力されるまで待機し、入力されると印刷を開始する。
【００７４】
このようにすると、他の利用者に先に新たなコピージョブ２を設定されてしまうことを防止できるとともに、新たなコピージョブ２を設定した利用者が複合機１から離れている間に印刷結果を他の利用者に閲覧されてしまうことを防止できる。
【００７５】
（６）複合機の処理
複合機１は、操作部４２により新たなジョブが設定されると、別のジョブを実行中でなければ新たなジョブを受け付けて直ちに実行を開始する。
また、複合機１は、操作部４２により新たなジョブが設定されたときに別のジョブを実行中の場合は、別のジョブを実行中の実行手段（第１の実行手段という）と新たなジョブを実行する実行手段（第２の実行手段という）とが共通するか否かを判定し、共通しないと判定した場合（図２に編み掛けで示す組み合わせの場合）は、「実行手段が新たなジョブを実行可能になるまでに処理する処理量」によらず、新たなジョブを受け付けて直ちに実行を開始する。
【００７６】
一方、複合機１は、第１の実行手段と第２の実行手段とが共通すると判定した場合は、新たなジョブを受け付けるか否かを処理量に基づいて決定する。
以下、第１の実行手段と第２の実行手段とが共通すると判定した後の複合機１の処理について説明する。
【００７７】
（６−１）全体処理
図８は、第１の実行手段と第２の実行手段とが共通すると判定した後の複合機の全体処理の流れを示すフローチャートである。ここでは別のジョブ及び新たなジョブがいずれもコピージョブである場合を例に説明する。
【００７８】
Ｓ１０１では、ＣＰＵ３７は、新たなコピージョブを実行可能になるまでの推定時間Ｔを求める。
Ｓ１０２では、ＣＰＵ３７は推定時間Ｔが１分未満であるか否かを判定する。ＣＰＵ３７は、推定時間Ｔが１分未満であるときは新たなコピージョブを受け付けると決定してＳ１０３に進み、推定時間Ｔが１分以上であるときはＳ１０７に進む。
Ｓ１０３では、ＣＰＵ３７は新たなコピージョブを受け付ける。具体的には例えば、ＣＰＵ３７は新たなコピージョブをジョブの実行リストに追加する。
【００７９】
Ｓ１０４では、ＣＰＵ３７は読取部２５が別のコピージョブによる読み取りを終了していれば直ちに新たなコピージョブによる原稿の読み取りを実行し、終了していなければ終了するのを待って新たなコピージョブによる原稿の読み取りを実行する。
Ｓ１０５では、ＣＰＵ３７は別のコピージョブの印刷が終了したか否かを一定時間間隔で判定し、別のコピージョブの印刷が終了するとＳ１０６に進む。
【００８０】
Ｓ１０６では、ＣＰＵ３７は新たなコピージョブによる印刷を実行する。
Ｓ１０７では、ＣＰＵ３７はＬＣＤ４２Ｂに認証情報（ユーザＩＤ及びパスワード）の入力を促すメッセージを表示する。
Ｓ１０８では、ＣＰＵ３７は認証情報が入力されたか否かを判定する。ＣＰＵ３７は認証情報が入力されないか又は入力された認証情報の認証に失敗した場合はＳ１０９に進み、認証情報が入力されてその認証に成功した場合はＳ１１０に進む。
【００８１】
Ｓ１０９では、ＣＰＵ３７はＳ１０８で認証情報の入力を促してから所定の待機時間が経過したか否かを判定する。ＣＰＵ３７は、Ｓ１０８で認証情報の入力を促した後、一定時間待機し、その間に認証情報が入力されなければ、認証情報は入力されなかったとする。この一定時間が待機時間である。ＣＰＵ３７は待機時間が経過していない場合はＳ１０８に戻り、経過した場合はＳ１１１に進む。
【００８２】
Ｓ１１０では、認証情報を入力した利用者がセキュリティ機能の利用が許可されているか否かを入力された認証情報に基づいて判定する。ＣＰＵ３７はセキュリティ機能の利用が許可されていない利用者である場合はＳ１１１に進み、許可されている利用者である場合はＳ１１２に進む。
【００８３】
Ｓ１１１では、ＣＰＵ３７はコピージョブを受け付けないと決定し、前述したコピーを受け付けない旨のメッセージを表示して処理を終了する。
Ｓ１１２では、ＣＰＵ３７は新たなコピージョブを受け付け、「セキュリティ機能動作時のコピー処理」を実行する。
【００８４】
（６−２）セキュリティ機能動作時のコピー処理
Ｓ２０１では、ＣＰＵ３７は読取部２５が別のコピージョブによる読み取りを終了するのを待って新たなコピージョブによる原稿の読み取りを実行する。
Ｓ２０２では、ＣＰＵ３７はＳ２０１で原稿を読み取って生成した画像データをＲＡＭ３９に記憶する。
Ｓ２０３では、ＣＰＵ３７は別のコピージョブの印刷が終了したか否かを一定時間間隔で判定し、別のコピージョブの印刷が終了するとＳ２０４に進む。
【００８５】
Ｓ２０４では、ＣＰＵ３７は「Secure Print」ボタンが押下されたか否かを判定する。ＣＰＵ３７は「Secure Print」ボタンが押下されていない場合はＳ２０５に進み、押下された場合はＳ２０７に進み、
Ｓ２０５では、ＣＰＵ３７はＳ２０１で生成した画像データの保存時間が経過したか否かを判定する。ＣＰＵ３７は、Ｓ２０２で画像データをＲＡＭ３９に記憶した後、一定時間その画像データを記憶し、その間に「Secure Print」ボタンが押下されなければ、利用者には画像データを印刷する意思がないと判断し、ＲＡＭ３９に記憶している画像データを消去する。この一定時間が保存時間である。ＣＰＵ３７は保存時間が経過していない場合はＳ２０４に戻り、経過した場合はＳ２０６に進む。
【００８６】
Ｓ２０６では、ＣＰＵ３７はＲＡＭ３９から画像データを消去して処理を終了する。
Ｓ２０７では、ＣＰＵ３７はＬＣＤ４２Ｂに認証情報（ユーザＩＤ及びパスワード）の入力を促すメッセージを表示する。
Ｓ２０８では、ＣＰＵ３７は認証情報が入力されたか否かを判定する。ＣＰＵ３７は認証情報が入力されないか又は入力された認証情報の認証に失敗した場合はＳ２０９に進み、認証情報が入力されてその認証に成功した場合はＳ２１１に進む。
【００８７】
Ｓ２０９では、ＣＰＵ３７はＳ２０４で「Secure Print」ボタンが押下されてから所定の待機時間が経過したか否かを判定する。ＣＰＵ３７は待機時間が経過していない場合はＳ２０８に戻り、経過した場合はＳ２１０に進む。
Ｓ２１０では、ＣＰＵ３７はＳ２０７でＬＣＤ４２Ｂに表示したメッセージを消してＳ２０４に戻る。
Ｓ２１１では、ＣＰＵ３７は新たなコピージョブによる印刷を実行する。
【００８８】
（７）実施形態の効果
以上説明した本発明の一実施形態に係る複合機１によると、「実行手段が新たなジョブを実行可能になるまでに処理する処理量」が所定量より多い場合は新たなジョブを受け付けないと決定する。新たなジョブを設定した利用者は、ジョブが受け付けられないことにより処理量が多いことを知ることができ、それにより自身が設定した新たなジョブが直ぐには実行されないことが判るので、複合機の前で長時間待たなくてよい。
よって複合機１によると、操作部４２を操作してジョブを設定する利用者の利便性が向上する。
【００８９】
更に、複合機１によると、例えば上述した１）〜３）の場合には「実行手段が新たなジョブを実行可能になるまでに処理する処理量」として、新たなジョブが設定されてから別のジョブが終了するまでに実行手段が処理する処理量を把握する。
別のジョブが終了するまで新たなジョブを実行できない場合は、新たなジョブが設定されてから別のジョブが終了するまでに別のジョブの実行手段が処理する処理量を把握することにより、新たなジョブを受け付けるか否かを適切に判定できる。
【００９０】
更に、複合機１によると、別のジョブを実行中の実行手段（第１の実行手段）と新たなジョブを実行する実行手段（第２の実行手段）とが共通しない場合は「実行手段が新たなジョブを実行可能になるまでに処理する処理量」によらず新たなジョブを受け付けるので、別のジョブと新たなジョブとを並行して実行することが可能になり、効率よくジョブを実行できる。
【００９１】
更に、複合機１によると、第１の実行手段の入力手段が第２の実行手段の入力手段又は出力手段のいずれかと共通し、第１の実行手段の出力手段が第２の実行手段の入力手段及び出力手段のいずれとも共通しないと判定された場合は、処理量として、第１の実行手段が画像の入力を終了するまでに処理する処理量を把握する。
例えば、別のダイレクト印刷ジョブの入力手段（ＵＳＢメモリ）は新たなスキャンｔｏＵＳＢジョブの出力手段（ＵＳＢメモリ）と共通し、別のダイレクト印刷ジョブの出力手段（印刷部４１）は、新たなスキャンｔｏＵＳＢジョブの入力手段（読取部２５）及び出力手段（ＵＳＢメモリ）のいずれとも共通しない。この場合は、別のダイレクト印刷ジョブによる画像の入力が終了した時点で、新たなスキャンｔｏＵＳＢジョブの実行が可能になる。
従ってこの場合は、別のダイレクト印刷ジョブがＵＳＢメモリから画像の読み込みを終了するまでに処理する処理量を把握することにより、別のダイレクト印刷ジョブを実行する実行手段（第１の実行手段）が画像の出力を終了するまでに処理する処理量を把握する場合に比べ、新たなスキャンｔｏＵＳＢジョブの実行をより早いタイミングで開始できる。
【００９２】
更に、複合機１によると、第１の実行手段の出力手段と第２の実行手段の入力手段とが共通しない場合は、第２の実行手段は、画像の入力を、第１の実行手段による画像の出力と並行して実行する。
例えば、別のジョブがコピージョブであり、新たなジョブもコピージョブである場合、別のコピージョブを実行する第１の実行手段の出力手段（印刷部４１）と新たなコピージョブを実行する第２の実行手段の入力手段（読取部２５）とは共通しないので、第２の実行手段は、読取部２５による画像の読み取りを、第１の実行手段の出力手段（印刷部４１）による画像の印刷と並行して実行する。これにより、効率よくジョブを実行できる。
【００９３】
更に、複合機１によると、認証情報が与えられている利用者については処理量によらず新たなジョブを受け付ける。そして、新たなジョブを実行可能になった後、認証情報が入力されると、当該新たなジョブを実行する。認証情報が与えられている利用者が新たなジョブを設定した後に複合機１を離れると、離れている間に当該新たなジョブが実行され、処理結果を他の利用者に閲覧されてしまう虞がある。複合機１によると、新たなジョブを実行可能になった後、認証情報が入力されると当該新たなジョブを実行するので、認証情報が与えられている利用者は実行手段が新たなジョブを実行可能になる頃を見計らって複合機１に戻り、認証情報を入力することにより、処理結果が他の利用者に閲覧される可能性を低減できる。
【００９４】
＜他の実施形態＞
本発明は上記記述及び図面によって説明した実施形態に限定されるものではなく、例えば次のような実施形態も本発明の技術的範囲に含まれる。
【００９５】
（１）上記実施形態では処理量が所定量より多い場合は新たなジョブを受け付けないと決定する場合を例に説明したが、これとは逆に、処理量が所定量より多い場合は新たなジョブを受け付けると決定するようにしてもよい。この場合は、利用者はジョブが受け付けられることにより処理量が多いことを知ることができ、それにより自身が設定した新たなジョブが直ぐには実行されないことが判る。
【００９６】
（２）上記実施形態では新たなジョブを実行可能になるまでの時間を処理量から推定し、新たなジョブを受け付けるか否かを推定した時間（推定時間）に基づいて決定する場合を例に説明したが、把握した処理量から直接決定してもよい。処理量と推定時間とには相関関係があるので、処理量が多い場合は別のジョブによる処理が終了するまでの時間も長いとして、時間を推定することなく新たなジョブを受け付けないと決定してもよい。
【００９７】
（３）上記実施形態では推定時間と比較される所定時間（所定量の一例）が一定である場合を例に説明したが、新たなジョブの実行に要する時間に応じて異なる所定時間と比較するようにしてもよい。
例えば、新たなジョブは短時間に終了するジョブである場合、新たなジョブを設定する利用者は例えば５０秒という時間でも長く感じることもある。逆に、新たなジョブは長時間を要するものである場合、新たなジョブを設定する利用者は５０秒という時間をさほど長く感じない場合もある。
従って、新たなジョブの実行に要する時間と待ち時間との関係について利用者が感じる印象を調べ、その結果に基づいて、新たなジョブの実行に要する時間に応じて所定時間を設定するようにしてもよい。
【００９８】
（４）上記実施形態では画像を処理するジョブとして図２に挙げるジョブを例に説明したが、画像を処理するジョブはこれらに限られるものではなく、画像処理装置が備える機能に応じて他のジョブを設定できるようにしてもよい。
【００９９】
（５）上記実施形態では画像処理装置として複合機を例に説明したが、画像処理装置は一つの機器として構成されなくてもよく、例えばＰＣとそのＰＣに接続されているイメージスキャナやプリンタとによって構成してもよい。
【０１００】
（６）上記実施形態では「実行手段が新たなジョブを実行可能になるまでに処理する処理量」として、「別のジョブの実行が終了するまでに処理する処理量」及び「別のジョブの入力手段が当該別のジョブの実行を終了するまでに処理する処理量」を把握する場合を例に説明したが、別のジョブの残り処理量も別のジョブ全体の処理量もさほど変わらない場合には、別のジョブ全体の処理量を把握してもよい。
【符号の説明】
【０１０１】
１…複合機（画像処理装置）
２５…読取部（実行手段、入出力手段）
３５…イメージセンサ制御部（制御手段）
ＣＰＵ３７（受付手段、実行手段、把握手段、判定手段、制御手段、認証情報入力手段、認証手段）
４０…ファクシミリ送受信部（実行手段、入出力手段）
４１…印刷部（実行手段、入出力手段）
４２…操作部（操作手段、認証情報入力手段）
４３…インタフェース部（実行手段、入出力手段）
【図１】
2010178166.tif 000003
【図２】
2010178166.tif 000004
【図３】
2010178166.tif 000005
【図４】
2010178166.tif 000006
【図５】
2010178166.tif 000007
【図６】
2010178166.tif 000008
【図７】
2010178166.tif 000009
【図８】
2010178166.tif 000010
【図９】
2010178166.tif 000011